【手続補正書】
【提出日】平成16年10月5日(2004.10.5)
【手続補正１】
【補正対象書類名】明細書
【補正対象項目名】発明の名称
【補正方法】変更
【補正の内容】
【発明の名称】カメラ及びその制御方法、画像再生装置、画像再生方法、記憶媒体、プログラム
【手続補正２】
【補正対象書類名】明細書
【補正対象項目名】特許請求の範囲
【補正方法】変更
【補正の内容】
【特許請求の範囲】
【請求項１】
画像を記憶する記憶媒体を接続するインターフェースと、
前記インターフェースを介して、前記記憶媒体に記憶されている画像を読み出して、表示装置に画像を表示させる再生手段と、
プリンタとの接続を検知する検知手段と、
前記プリンタとの接続を検知したことに応じて、前記再生手段により、画像の表示されている前記表示装置上に、所定のマークを表示させる表示制御手段とを有することを特徴とするカメラ。
【請求項２】
前記表示装置に表示させる画像を選択する選択手段を有し、
前記表示制御手段は、前記選択手段で選択された画像が前記表示装置に表示させられている間に前記接続を検知した場合に、前記所定のマークを、選択された画像を表示している表示装置上の付加して表示する事を特徴とする請求項１に記載のカメラ。
【請求項３】
前記表示制御手段は、ネゴシエーションにより前記プリンタと通信可能な場合に、前記所定のマークを表示させることを特徴とする請求項１ないし２のいずれか１項に記載のカメラ。
【請求項４】
前記所定のマークは、前記画像再生装置が前記プリンタに画像を出力してプリント可能なプリントモードであることを示す事を特徴とする請求項１ないし３のいずれか１項に記載のカメラ。
【請求項５】
プリントモードに移行後、プリントスタイルを表示させ、表示されている画像をプリントさせる指示手段を有することを特徴とする請求項４記載のカメラ。
【請求項６】
プリントスタイルを表示させた後、プリントスタイルの変更を行う手段を有することを特徴とする請求項５記載のカメラ。
【請求項７】
撮影手段からの撮像信号を画像信号に変換する変換手段と、前記変換手段により変換された画像信号を記録素子上に記録する記録手段と、前記記録素子上に記録された画像信号に基づき画像を表示する表示手段とを有することを特徴とする請求項１ないし６のいずれか１項に記載のカメラ。
【請求項８】
画像を記憶する記憶媒体を接続するインターフェースと、
前記インターフェースを介して、前記記憶媒体に記憶されている画像を読み出して、表示装置に画像を表示させる再生手段と、
プリンタとの接続を検知する検知手段と、
前記プリンタとの接続を検知したことに応じて、前記再生手段により、画像の表示されている前記表示装置上に、所定のマークを表示させる表示制御手段とを有することを特徴とする画像再生装置。
【請求項９】
前記表示装置に表示させる画像を選択する選択手段を有し、
前記表示制御手段は、前記選択手段で選択された画像が前記表示装置に表示させられている間に前記接続を検知した場合に、前記所定のマークを、選択された画像を表示している表示装置上の付加して表示する事を特徴とする請求項８に記載の画像再生装置。
【請求項１０】
前記表示制御手段は、ネゴシエーションにより前記プリンタと通信可能な場合に、前記所定のマークを表示させることを特徴とする請求項８ないし９のいずれか１項に追加の画像再生装置。
【請求項１１】
前記所定のマークは、前記画像再生装置が前記プリンタに画像を出力してプリント可能なプリントモードであることを示す事を特徴とする請求項８ないし１０のいずれか１項に記載の画像再生装置。
【請求項１２】
画像を記憶する記憶媒体を接続するインターフェースを介して、前記記憶媒体に記憶されている画像を読み出して、表示装置に画像を表示させる再生工程と、
プリンタとの接続を検知する検知工程と、
前記プリンタとの接続を検知したことに応じて、前記再生工程でにより、画像の表示されている前記表示装置上に、所定のマークを表示させる表示制御工程とを有することを特徴とするカメラの制御方法。
【請求項１３】
さらに、前記表示装置に表示させる画像を選択する選択工程を有し、
前記表示制御工程は、前記選択工程で選択された画像が前記表示工程で表示させられている間に前記接続を検知した場合に、前記所定のマークを、選択された画像を表示している表示装置上の付加して表示する事を特徴とする請求項１２に記載のカメラの制御方法。
【請求項１４】
前記表示制御工程は、ネゴシエーションにより前記プリンタと通信可能な場合に、前記所定のマークを表示させることを特徴とする請求項１２ないし１３のいずれか１項に記載のカメラの制御方法。
【請求項１５】
前記所定のマークは、前記画像再生装置が前記プリンタに画像を出力してプリント可能なプリントモードであることを示す事を特徴とする請求項１２ないし１４のいずれか１項に記載のカメラの制御方法。
【請求項１６】
プリントモードに移行後、プリントスタイルを表示させ、表示されている画像をプリントさせる指示工程を有することを特徴とする請求項１５記載のカメラの制御方法。
【請求項１７】
プリントスタイルを表示させた後、プリントスタイルの変更を行う手段を有することを特徴とする請求項１６記載のカメラの制御方法。
【請求項１８】
撮影手段からの撮像信号を画像信号に変換する変換手段と、前記変換手段により変換された画像信号を記録素子上に記録する記録手段と、前記記録素子上に記録された画像信号に基づき画像を表示する表示手段とを有することを特徴とする請求項１２ないし１７のいずれか１項に記載のカメラの制御方法。
【請求項１９】
画像を記憶する記憶媒体を接続するインターフェースを介して、前記記憶媒体に記憶されている画像を読み出して、表示装置に画像を表示させる再生工程と、
プリンタとの接続を検知する検知工程と、
前記プリンタとの接続を検知したことに応じて、前記再生工程により、画像の表示されている前記表示装置上に、所定のマークを表示させる表示制御工程とを有することを特徴とする画像再生方法。
【請求項２０】
前記表示装置に表示させる画像を選択する選択工程を有し、
前記表示制御工程は、前記選択工程で選択された画像が前記表示装置に表示させられている間に前記接続を検知した場合に、前記所定のマークを、選択された画像を表示している表示装置上の付加して表示する事を特徴とする請求項１９に記載の画像再生方法。
【請求項２１】
前記表示制御工程は、ネゴシエーションにより前記プリンタと通信可能な場合に、前記所定のマークを表示させることを特徴とする請求項１９ないし２０のいずれか１項に追加の画像再生方法。
【請求項２２】
前記所定のマークは、前記画像再生装置が前記プリンタに画像を出力してプリント可能なプリントモードであることを示す事を特徴とする請求項１９ないし２１のいずれか１項に記載の画像再生方法。
【請求項２３】
以下の画像再生方法を実行するために、コンピュータで読み取り可能な制御プログラムを提供する記録媒体であって、
画像を記憶する記憶媒体を接続するインターフェースを介して、前記記憶媒体に記憶されている画像を読み出して、表示装置に画像を表示させる再生工程と、
プリンタとの接続を検知する検知工程と、
前記プリンタとの接続を検知したことに応じて、前記再生工程により、画像の表示されている前記表示装置上に、所定のマークを表示させる表示制御工程とを有することを特徴とする画像再生方法を実行するための制御プログラムを提供する記録媒体。
【請求項２４】
さらに、前記画像再生方法は、前記表示装置に表示させる画像を選択する選択工程を有し、
前記表示制御工程は、前記選択工程で選択された画像が前記表示装置に表示させられている間に前記接続を検知した場合に、前記所定のマークを、選択された画像を表示している表示装置上の付加して表示する事を特徴とする請求項１９に記載の記録媒体。
【請求項２５】
さらに、前記表示制御工程は、ネゴシエーションにより前記プリンタと通信可能な場合に、前記所定のマークを表示させることを特徴とする請求項２３ないし２４のいずれか１項に記載の記録媒体。
【請求項２６】
前記所定のマークは、前記画像再生装置が前記プリンタに画像を出力してプリント可能なプリントモードであることを示す事を特徴とする請求項２３ないし２５のいずれか１項に記載の記録媒体。
【請求項２７】
以下の画像再生方法を実行するために、コンピュータで読み取り可能なプログラムであって、
画像を記憶する記憶媒体を接続するインターフェースを介して、前記記憶媒体に記憶されている画像を読み出して、表示装置に画像を表示させる再生工程と、
プリンタとの接続を検知する検知工程と、
前記プリンタとの接続を検知したことに応じて、前記再生工程により、画像の表示されている前記表示装置上に、所定のマークを表示させる表示制御工程とを有することを特徴とする画像再生方法を実行するためのプログラム。
【手続補正３】
【補正対象書類名】明細書
【補正対象項目名】００１８
【補正方法】変更
【補正の内容】
【００１８】
【課題を解決するための手段】
上記の課題を解決するため、本発明の画像再生装置は、画像を記憶する記憶媒体を接続するインターフェースと、インターフェースを介して、記憶媒体に記憶されている画像を読み出して、表示装置に画像を表示させる再生手段と、プリンタとの接続を検知する検知手段と、プリンタとの接続を検知したことに応じて、再生手段により、画像の表示されている表示装置上に、所定のマークを表示させる表示制御手段とを有することを特徴とする。
【手続補正４】
【補正対象書類名】明細書
【補正対象項目名】０１１０
【補正方法】変更
【補正の内容】
【０１１０】
【発明の効果】
本発明のカメラ及び画像再生装置によれば、プリンタとの接続を検知したことにより所定のマークを、画像の表示されている表示装置上に表示させることにより、印刷モードへ移行したことが簡単に認識でき、また、そのモードで、簡単にプリント物を得ることができる。特に、画像再生しているときに、単なる再生モードであるか、またはプリンタに画像を出力してプリント可能なプリントモードであるかを認識できる。